(57)【要約】【課題】  記録されたコンテンツだけでなく、作成者の意図する付加情報をも再生可能な記録媒体を簡便に作成する為の技術を提供すること。【解決手段】  配信対象コンテンツＤＢ１０８が保持する複数のコンテンツのうちパソコンＡ１３０から要求されたコンテンツをＣＤ／ＤＶＤドライブ装置１６０に出力する。パソコンＡ１３０から受信した付加コンテンツのアクセスを行うために必要なアクセス情報をＣＤ／ＤＶＤドライブ装置１６０に出力する。【選択図】  図１
2006351099.tif 000002
【特許請求の範囲】
【請求項１】
音声データ又は画像データを記録した記憶媒体であって、
付加コンテンツの所在情報を記憶する所在情報記憶手段と、
前記付加コンテンツの再生条件情報を記憶する再生条件記憶手段と
を備えることを特徴とする記憶媒体。
【請求項２】
前記所在情報と前記再生条件情報を記憶媒体に内蔵したＩＣタグに記憶することを特徴とする請求項１に記載の記憶媒体。
【請求項３】
前記所在情報は付加コンテンツの保管場所を占めるＵＲＬ又はＩＰアドレスのいずれかであることを特徴とする請求項１又は請求項２に記載の記憶媒体。
【請求項４】
前記ＩＣタグに付加音声データを更に記憶することを特徴とする請求項２又は請求項３に記載の記憶媒体。
【請求項５】
通信回線を介して付加コンテンツを記憶するサーバと通信可能な情報処理装置であって、
前記情報処理装置は
記憶媒体に内蔵されたＩＣタグの情報を読取るタグ情報読取手段と、
前記ＩＣタグに記憶された付加コンテンツの所在情報に基いて、前記サーバに付加コンテンツの送信を要求する付加コンテンツ要求手段と、
前記記憶媒体に記憶された音声データを読取るデータ読取手段と、
前記音声データを再生しつつ前記サーバより受信した付加コンテンツの画像を再生する再生手段と
を備えることを特徴とする情報処理装置。
【請求項６】
前記再生手段は、前記音声データの再生に先立って、前記ＩＣタグに記憶された付加音声データ又は前記サーバから受信した付加音声データのいずれかを再生することを特徴とする請求項５に記載の情報処理装置。
【請求項７】
前記ＩＣタグは付加コンテンツの再生条件を更に記憶し、
前記付加コンテンツ要求手段は、前記ＩＣタグに記憶された前記再生条件を満たす場合に前記サーバに前記付加コンテンツの送信を要求することを特徴とする請求項５又は請求項６に記載の情報処理装置。
【請求項８】
通信回線を介して付加コンテンツを記憶するサーバと通信可能な情報処理装置の制御プログラムであって、
前記情報処理装置を、
記憶媒体に内蔵されたＩＣタグの情報を読取るタグ情報読取手段と、
前記ＩＣタグに記憶された付加コンテンツの所在情報に基いて、前記サーバに付加コンテンツの送信を要求する付加コンテンツ要求手段と、
前記記憶媒体に記憶された音声データを読取るデータ読取手段と、
前記音声データを再生しつつ前記サーバより受信した付加コンテンツの画像を再生する再生手段として機能させるための制御プログラム。
【発明の詳細な説明】
【技術分野】
【０００１】
本発明は、ネットワークを介してデータ通信が可能な端末装置から要求されたコンテンツを記録媒体に記録する為の技術に関するものである。
【背景技術】
【０００２】
静止画と音声とを組み合わせてマルチメディアＣＤを作成する方法については多くの先行技術がある（特許文献１〜３を参照）。これらのオリジナルディスクは、オーサリング用のソフトをインストールしたワークステーション等で作成するか、インターネットのサービスサイトで音声素材を選択し、画像と組み合わせて作成する等様々な方法がある。
【０００３】
又、アルバムサイトを作成して特定対象者向けに公開し、電子メールにサイトのアドレスを添付して閲覧してもらう方法も公知である（特許文献４を参照）。また、ＣＤやＤＶＤにＩＣタグを内臓させ、販売店での盗難防止や、ＣＤ自体の不法複製の防止に利用する技術も公知である（特許文献５、６を参照）。
【特許文献１】特開２００３−２４９０５６号公報
【特許文献２】特開２００３−１１１０１５号公報
【特許文献３】特開２００２−５７９７５号公報
【特許文献４】特開２００４−６２８０９号公報
【特許文献５】特開２０００−２１１２８号公報
【特許文献６】特開２００３−２９７０３９号公報
【発明の開示】
【発明が解決しようとする課題】
【０００４】
これらマルチメディアＣＤ作成方法を用いて例えば、結婚式等の写真と音楽を組合わせたオリジナルＣＤ等を作成するには多大な工数がかかり、これを５０枚から１００枚程度作成して知人や親戚等に配布する場合、かなり高額な作成費用が必要となる。
【０００５】
又、自分で作成しようとしても、高額なオーサリングソフトが必要になり、かつ多大な手間がかかるため現実的ではない。
【０００６】
また、オリジナルＣＤを作成して知人に配布しても音楽の好み等が作成者と受取者が一致しない場合、撮影された画像を記念に１〜２回見てあとはそのままという場合も少なくない。
【０００７】
さらに、作成者が自分の所有するＣＤから好みの楽曲を抽出して、５０枚から１００枚程度のオリジナルＣＤを作成・配布する場合、著作権の問題も当然に生じてしまう。
【０００８】
又、一度作成したマルチメディアＣＤは内容を変更できないため、当初のメッセージ等を聴くことができても、配布者の近況を知ることができないという問題がある。
【０００９】
本発明は以上の問題に鑑みて成されたものであり、記録されたコンテンツだけでなく、作成者の意図する付加情報をも再生可能な記録媒体を簡便に作成する為の技術を提供することを目的とする。
【課題を解決するための手段】
【００１０】
本発明の目的を達成するために、例えば本発明の記憶媒体は以下の構成を備える。
【００１１】
即ち、音声データ又は画像データを記録した記憶媒体であって、
付加コンテンツの所在情報を記憶する所在情報記憶手段と、
前記付加コンテンツの再生条件情報を記憶する再生条件記憶手段とを備えることを特徴とする。
【００１２】
本発明の目的を達成するために、例えば本発明の情報処理装置は以下の構成を備える。
【００１３】
即ち、通信回線を会して付加コンテンツを記憶するサーバと通信可能な情報処理装置であって、
前記情報処理装置は
記憶媒体に内蔵されたＩＣタグの情報を読取るタグ情報読取手段と、前記ＩＣタグに記憶された付加コンテンツの所在情報に基いて、前記サーバに付加コンテンツの送信を要求する付加コンテンツ要求手段と、
前記記憶媒体に記憶された音声データを読取るデータ読取手段と、
前記音声データを再生しつつ前記サーバより受信した付加コンテンツの画像を再生する再生手段とを備える。
【発明の効果】
【００１４】
本発明の請求項１乃至請求項４の記憶媒体を請求項５乃至請求項８記載の情報処理装置に装着して再生することにより、様々な付加価値サービスの提供が可能になる。例えば、本体の画像や音声の再生に先立ってメッセージ音声を再生したり、ＣＤの場合音声の再生時にスライドショー形式で画像を表示するといった付加価値サービスの提供が可能となる。又例えば、ある日時、若しくはある期間のみあるいはある条件を満たす場合に付加コンテンツを再生可能とさせることができる。即ち、初回再生時のみＣＤやＤＶＤを再生したり、結婚記念日にのみ付加コンテンツを再生可能とさせるといったこともできるので、贈り主の押し付けがましさを避けることができる。又例えば誕生日に贈ったＣＤを何年か後の誕生日に再生したときに贈り主のメッセージや画像が再生されるので、ＣＤをプレゼントされた側が驚くと共に非常に喜ばれるといった効果も期待できる。
【発明を実施するための最良の形態】
【００１５】
以下添付図面を参照して、本発明を好適な実施形態に従って詳細に説明する。
【００１６】
［第１の実施形態］
本実施形態で用いる記録媒体は、ＣＤ−ＲＯＭやＤＶＤ−ＲＯＭなどの情報記録媒体であり、且つこの記憶媒体には周知のＩＣタグが付加されているものとする。なお、このＩＣタグとしては例えば一般のＲＦ−ＩＤが適用可能である。
【００１７】
図５は、ＩＣタグが付加されたＣＤ−ＲＯＭの外観例を示す図で、同図において５００はＣＤ−ＲＯＭ本体、５０１はＩＣタグのアンテナ部分、５０２，５０３はそれぞれＩＣタグを示す。
【００１８】
図１は、本実施形態に係るシステムの機能構成を示すブロック図である。同図に示す如く、本実施形態に係るシステムは、購入依頼を受けたコンテンツを記録媒体に記録するコンテンツ管理サーバ１００、コンテンツを購入する為に使用するパソコンＡ１３０、購入したコンテンツを再生する為に使用するパソコンＢ１３５、コンテンツの再生／記録を行うＣＤ／ＤＶＤドライブ装置１２０、１６０により構成されている。より詳細には、コンテンツ管理サーバ１００、パソコンＡ１３０、パソコンＢ１３５は通信回線１５０により接続されており、互いにデータ通信が可能となっている。また、パソコンＢ１３５にはＣＤ／ＤＶＤドライブ装置１２０が接続されており、コンテンツ管理サーバ１００にはＣＤ／ＤＶＤドライブ装置１６０が接続されている。
【００１９】
以下にシステムを構成する上記各部について説明する。
【００２０】
パソコンＡ１３０は、所望のコンテンツを記録した記録媒体の作成をコンテンツ管理サーバ１００に対して依頼する為に使用するものであり、このパソコンＡ１３０の操作者（依頼者）はこのパソコンＡ１３０を操作してこのような依頼をコンテンツ管理サーバ１００に対して行う。また、パソコンＡ１３０は、依頼者側で作成したコンテンツ（以下、付加コンテンツと呼称する）をコンテンツ管理サーバ１００に登録するための処理を行う。付加コンテンツとは、例えば依頼者側でディジタルカメラ等で撮像した動画像／静止画像や音声、また、依頼者が所定の電話番号に電話を掛けて話した音声のデータのことである。なお、この付加コンテンツは、予めコンテンツ管理サーバ１００側で作成された動画像／静止画像、音声であっても良い。
【００２１】
コンテンツ管理サーバ１００は、販売対象のコンテンツを複数保持しており、この複数のコンテンツのうち、パソコンＡ１３０から指示されたコンテンツ（即ちパソコンＡ１３０から購入依頼を受けたコンテンツ）をＣＤ／ＤＶＤドライブ装置１６０に対して出力することでこのコンテンツ、即ち、指示されたコンテンツを記録媒体に記録させる。
【００２２】
また、依頼者がパソコンＡ１３０を用いて付加コンテンツを送信するので、コンテンツ管理サーバ１００はこれを受信して管理する。そして、依頼者から指示されたコンテンツを記録媒体に記録する際には、管理しているこの付加コンテンツにアクセスするために必要なアクセス情報（例えばこの付加コンテンツのＵＲＬ）をこの記録媒体に付加されているＩＣタグに記録させるべく、このアクセス情報をＣＤ／ＤＶＤドライブ装置１６０に出力する処理を行う。よって、ＣＤ／ＤＶＤドライブ装置１６０は、記録媒体に情報を記録する機能を有するだけでなく、ＩＣタグに対しても情報を記録する機能を有する。
【００２３】
よってコンテンツ管理サーバ１００が以上のような機能を有するために、コンテンツ管理サーバ１００は同図に示す如く、管理ＤＢ（データベース）１０１、画像データＤＢ１０２，１０３、音声データＤＢ１０４、メッセージデータＤＢ１０５、配信対象コンテンツＤＢ１０８を有している。
【００２４】
画像データＤＢ１０３は、パソコンＡ１３０から送信された（アップされた）付加コンテンツのうち画像（動画像／静止画像）のデータを登録するためのデータベースである。
【００２５】
画像データＤＢ１０２は、画像データＤＢ１０３に登録されている画像の数が少ない場合に補助的に使用される画像（動画像／静止画像）のデータを登録しておくデータベースであり、この画像は、コンテンツ管理サーバ１００側の操作者が予め作成したものである。この画像は例えば、結婚式場として用いられることが多いホテルや専用式場、教会、神社仏閣、大学、空港、等の建物の画像等がある。
【００２６】
管理ＤＢ１０１は、コンテンツ管理サーバ１００に対するコンテンツの購入依頼に係る情報（依頼情報）を管理する為のデータベースである。依頼情報には例えば、管理番号、依頼者氏名、電話番号、記録媒体の番号、枚数、単価、画像データの保管フォルダ名、再生時間間隔、音声データの保管フォルダ名、ＩＣタグの設定ファイル名、配信専用ＵＲＬ、配信期限、配信可能数、既配信数、課金情報等が含まれる。
【００２７】
メッセージデータＤＢ１０５は、依頼者が所定の電話番号に電話を掛けて話した音声のデータを管理するためのデータベースである。この音声のデータも上記付加コンテンツに含まれる。
【００２８】
音声データＤＢ１０４は、パソコンＡ１３０から送信された（アップされた）付加コンテンツのうち依頼者自身の楽器演奏や歌声等の音声データを管理する為のデータベースである。
【００２９】
配信対象コンテンツＤＢ１０８は、販売対象のコンテンツ群を保持するデータベースで、依頼者は販売対象のコンテンツ群のうち購入したいコンテンツを選択する指示をパソコンＡ１３０を用いて行うことで、指示したコンテンツを記録した記録媒体の作成依頼をコンテンツ管理サーバ１００に対して行うことができる。
【００３０】
そして、上述のコンテンツ管理サーバ１００により作成された記録媒体（購入依頼したコンテンツ、アクセス情報が記録された記録媒体）は、その後、パソコンＢ１３５の使用者に対して届けられる。
【００３１】
パソコンＢ１３５は、上述のコンテンツ管理サーバ１００により作成された記録媒体（購入依頼したコンテンツ、アクセス情報が記録された記録媒体）を再生するために使用するものであり、より具体的にはこの記録媒体をパソコンＢ１３５に接続されているＣＤ／ＤＶＤドライブ装置１２０に挿入し、パソコンＢ１３５がこのＣＤ／ＤＶＤドライブ装置１２０を制御することで、この記録媒体に記録されているコンテンツを再生すると共に、この記録媒体に付加されているＩＣタグに記録されているアクセス情報を読み取り、読み取ったアクセス情報に基づくアクセス先（即ちコンテンツ管理サーバ１００）に対してアクセスする処理を行う。よって、ＣＤ／ＤＶＤドライブ装置１２０は、記録媒体に記録されている情報を読み出す機能を有するだけでなく、ＩＣタグに記録されている情報をも読み出す機能を有する。
【００３２】
次に、上記コンテンツ管理サーバ１００、パソコンＡ１３０、パソコンＢ１３５に適用可能なコンピュータの基本構成について説明する。本実施形態では説明を簡単にするために、それぞれは同じ基本構成を有しているとして説明するが、これに限ったものではない。
【００３３】
図２は、上記コンテンツ管理サーバ１００、パソコンＡ１３０、パソコンＢ１３５に適用可能なコンピュータの基本構成を示すブロック図である。
【００３４】
２１はＣＰＵで、コンピュータ全体の制御を行うと共に、コンピュータを適用した装置（即ちコンテンツ管理サーバ１００、パソコンＡ１３０、パソコンＢ１３５）が行う後述の各処理を実行する。
【００３５】
２２はＲＡＭで、ハードディスク２８からロードされたプログラムやデータ、ＮＩＣ（ネットワークインターフェース）２４を介して受信したデータを一時的に記憶するためのエリアを備えると共に、ＣＰＵ２１が各種の処理を行う際に使用するワークエリアを備える。
【００３６】
２３はＲＯＭで、本コンピュータの設定データや、ブートプログラムを格納する。
【００３７】
２４はＮＩＣで、本コンピュータを上記通信回線１５０に接続するためのインターフェースとして機能するものであり、本コンピュータはこのＮＩＣ２４を介して通信回線１５０に接続されている他の機器とのデータ通信を行うことができる。なお、この通信回線１５０としては一般のインターネットやＬＡＮなどのネットワークが適用可能である。また、このネットワークは無線、優先は問わない。よってＮＩＣ２４はこの通信回線１５０に応じたものとなる。
【００３８】
２５は表示部で、ＣＲＴや液晶画面などにより構成されており、ＣＰＵ２１による処理結果を画像や文字などでもって表示する。
【００３９】
２６、２７はそれぞれキーボード、マウスで、本コンピュータの操作者が操作することで、各種の指示をＣＰＵ２１に対して入力することができる。
【００４０】
２８はハードディスクで、ここにＯＳ（オペレーティングシステム）や、本コンピュータを適用した装置が行う後述の各処理をＣＰＵ２１に実行させるために必要なプログラムやデータが保存されている。また、本コンピュータをコンテンツ管理サーバ１００に適用する場合には、図１に示した各データベースもこのハードディスク２８に登録されている。
【００４１】
２９はＩ／Ｆで、特に本コンピュータをコンテンツ管理サーバ１００に適用する場合にはここにＣＤ／ＤＶＤドライブ装置１６０が接続されるし、本コンピュータをパソコンＢ１３５に適用する場合にはここにＣＤ／ＤＶＤドライブ装置１２０が接続される。
【００４２】
２０は上述の各部を繋ぐバスである。
【００４３】
次に、依頼者が所望のコンテンツを記録した記録媒体の作成をコンテンツ管理サーバ１００に対して依頼する為に、パソコンＡ１３０、コンテンツ管理サーバ１００が行う処理について、同処理のフローチャートを示す図３を用いて説明する。
【００４４】
なお、同図のフローチャートにおいて、パソコンＡ１３０が行う処理部分（ステップＳ４０１〜Ｓ４０８）をパソコンＡ１３０に適用するコンピュータのＣＰＵ２１に実行させる為のプログラムやデータはこのコンピュータのハードディスク２８に保存されており、これを適宜このコンピュータのＲＡＭ２２にロードし、このコンピュータのＣＰＵ２１がこれを用いて処理を行うことで、このコンピュータ、即ちパソコンＡ１３０は、ステップＳ４０１〜Ｓ４０８の各処理を実行することになる。
【００４５】
同様に、同図のフローチャートにおいて、コンテンツ管理サーバ１００が行う処理部分（ステップＳ４２１〜Ｓ４４１）をコンテンツ管理サーバ１００に適用するコンピュータのＣＰＵ２１に実行させる為のプログラムやデータはこのコンピュータのハードディスク２８に保存されており、これを適宜このコンピュータのＲＡＭ２２にロードし、このコンピュータのＣＰＵ２１がこれを用いて処理を行うことで、このコンピュータ、即ちコンテンツ管理サーバ１００は、ステップＳ４２１〜Ｓ４４１の各処理を実行することになる。
【００４６】
先ず、所望のコンテンツを記録した記録媒体の作成をコンテンツ管理サーバ１００に対して依頼するための画面（登録画面）を要求すべく、パソコンＡ１３０の操作者はキーボード２６やマウス２７を用いて、その旨の指示を入力すると、パソコンＡ１３０のＣＰＵ２１はこれを検知し、登録画面の要求をコンテンツ管理サーバ１００に送信する（ステップＳ４０１）。
【００４７】
コンテンツ管理サーバ１００のＣＰＵ２１はこの要求を受信し、検知すると（ステップＳ４２１）、要求された登録画面のデータをハードディスク２８からＲＡＭ２２にロードして送信データとして生成し（ステップＳ４２２）、これをパソコンＡ１３０に対して送信する（ステップＳ４２３）。
【００４８】
パソコンＡ１３０のＣＰＵ２１はこれをＲＡＭ２２に受信すると、受けたデータに基づく画面を表示部２５の表示画面上に表示する（ステップＳ４０２）。
【００４９】
図６は、ステップＳ４０２で表示部２５の表示画面上に表示される登録画面の表示例を示す図である。同図の登録画面は、依頼者が購入しようとする音楽（記録媒体に記録してほしい音楽）を依頼する為のものである。この登録画面は同図に示す如く、記録媒体に記録してほしいコンテンツに係る情報や、依頼者に係る情報、仕上がった記録媒体の届け先や希望納期など、仕上がった記録媒体に係る情報等を登録するための領域が設けられており、依頼者はキーボード２６やマウス２７を用いてそれぞれの入力領域に入力すべき情報を入力する。
【００５０】
「ＣＤ名称」なる項目には購入対象のコンテンツ名を入力するのであるが、購入対象のコンテンツは、ハードディスク２８内の配信対象コンテンツＤＢ１０８が保持するコンテンツ群の中から選択することになる。
【００５１】
また、「画像数」なる項目には、付加コンテンツに含める画像の数を入力する。「画像配信期限」なる項目には付加コンテンツとしての画像の配信の期限を入力する。「メッセージ再生条件」なる項目には、付加コンテンツとしての音声データの再生可能な日時、若しくは期間などの再生条件を入力する。
【００５２】
なお、入力すべき情報については、購入するコンテンツにもよるところがあるので、これに限定するものではない。
【００５３】
図３に戻って、登録画面に対する入力が完了した後にキーボード２６やマウス２７を用いて購入ボタン１０１０を指示すると、パソコンＡ１３０のＣＰＵ２１はこれを検知し、登録画面において入力した各情報（登録情報）をコンテンツ管理サーバ１００に送信する（ステップＳ４０３）。
【００５４】
コンテンツ管理サーバ１００のＣＰＵ２１はこの登録情報を受信する（ステップＳ４２４）と、これをハードディスク２８内の管理ＤＢ１０１に登録することで、管理ＤＢ１０１を更新する処理を行う（ステップＳ４２５）。これにより、依頼者毎に登録情報を管理することができる。
【００５５】
次にコンテンツ管理サーバ１００は、依頼者が付加コンテンツをコンテンツ管理サーバ１００に登録する為に使用する画面のデータをハードディスク２８からＲＡＭ２２にロードして送信データとして生成する（ステップＳ４２６）ので、これをパソコンＡ１３０に対して送信する（ステップＳ４２７）。
【００５６】
パソコンＡ１３０のＣＰＵ２１はこの送信データをＲＡＭ２２に受信すると、受けたデータに基づく画面を表示部２５の表示画面上に表示する（ステップＳ４０４）。
【００５７】
この画面において依頼者は、コンテンツ管理サーバ１００に登録する付加コンテンツを選択する操作を行うので、ＣＰＵ２１は、予めハードディスク２８に保存している付加コンテンツ群のうち、選択された付加コンテンツをコンテンツ管理サーバ１００への登録対象とする（ステップＳ４０５）。
【００５８】
そしてこの画面において選択完了の旨（送信する旨）のボタンが指示されたことをパソコンＡ１３０のＣＰＵ２１が検知すると（ステップＳ４０６）、ＣＰＵ２１はコンテンツ管理サーバ１００への登録対象として選択された付加コンテンツをコンテンツ管理サーバ１００に送信する（ステップＳ４０７）。
【００５９】
コンテンツ管理サーバ１００のＣＰＵ２１はパソコンＡ１３０から送信されてきた付加コンテンツのデータをＲＡＭ２２に受信する（ステップＳ４２８）と、これをハードディスク２８内に登録する（ステップＳ４２９）のであるが、付加コンテンツのうち画像については画像データＤＢ１０３に登録し、音声データについては音声データＤＢ１０４に登録する処理を行う。
【００６０】
ここで、付加コンテンツに画像が２以上含まれている場合、それぞれの画像は所定時間毎に切り替えて表示するので、ＣＰＵ２１はその時間間隔を示す情報（タイミング情報）を生成する（ステップＳ４３０）。生成したタイミング情報は上記管理ＤＢ１０１に登録される。
【００６１】
図７は、管理ＤＢ１０１に管理されているある依頼者に対する情報の構成例を示す図である。同図に示す如く、上記登録情報を構成する各要素と共に、付加コンテンツとしての画像に対するアクセス情報（配信専用ＵＲＬで示されているＵＲＬにおける「画像データの保管フォルダ名」）、付加コンテンツとしての音声データに対するアクセス情報（配信専用ＵＲＬで示されているＵＲＬにおける「音声データの保管フォルダ名」）等が管理されている。
【００６２】
そして次にコンテンツ管理サーバ１００のＣＰＵ２１は、ステップＳ４２４で受信した登録情報に含まれている「依頼されたコンテンツを特定する情報（図６では「ＣＤ名称」の項目に入力された情報）」でもって特定されるコンテンツをハードディスク２８内の配信対象コンテンツＤＢ１０８が保持するコンテンツ群から読み出し、読み出したコンテンツと、ステップＳ４２９で登録した付加コンテンツにアクセスするために必要な情報であるアクセス情報（本実施形態ではＵＲＬ）と、を含む書き込みデータを生成し（ステップＳ４３２）、これをＣＤ／ＤＶＤドライブ装置１６０に出力する（ステップＳ４４１）。ここで、付加コンテンツには画像や音声など、複数のものが含まれている場合があり、その場合にはアクセス情報は、これらのそれぞれに対するものである。例えば付加コンテンツが４つの画像と１つの音声データからなる場合には、書き込みデータには、４つのそれぞれの画像に対するアクセス情報と、１つの音声データに対するアクセス情報とが含まれることになる。
【００６３】
これにより、ＣＤ／ＤＶＤドライブ装置１６０に予め挿入されている記録媒体には依頼されたコンテンツを記録させ、この記録媒体に付加されているＩＣタグにはアクセス情報を記録させることができる。
【００６４】
以上の処理により、依頼者が依頼したコンテンツ、依頼者がコンテンツ管理サーバ１００に登録した付加コンテンツにアクセスするためのアクセス情報が記録された記録媒体が生成されることになる。
【００６５】
そして次に、コンテンツ管理サーバ１００は、今回の依頼に対する処理が終了した旨を示すメッセージをパソコンＡ１３０に対して送信する（ステップＳ４３３）ので、パソコンＡ１３０はこれを受信し、表示部２５の表示画面上にこのメッセージを表示する（ステップＳ４０８）。
【００６６】
次に、依頼者によって依頼されたコンテンツ、アクセス情報が記録された記録媒体を再生する場合に、パソコンＢ１３５とコンテンツ管理サーバ１００とが行う処理について、同処理のフローチャートを示す図４を用いて説明する。
【００６７】
なお、同図のフローチャートにおいて、パソコンＢ１３５が行う処理部分（ステップＳ６０１〜Ｓ６１６）をパソコンＢ１３５に適用するコンピュータのＣＰＵ２１に実行させる為のプログラムやデータはこのコンピュータのハードディスク２８に保存されており、これを適宜このコンピュータのＲＡＭ２２にロードし、このコンピュータのＣＰＵ２１がこれを用いて処理を行うことで、このコンピュータ、即ちパソコンＢ１３５は、ステップＳ６０１〜Ｓ６１６の各処理を実行することになる。
【００６８】
同様に、同図のフローチャートにおいて、コンテンツ管理サーバ１００が行う処理部分（ステップＳ６２１〜Ｓ６２８）をコンテンツ管理サーバ１００に適用するコンピュータのＣＰＵ２１に実行させる為のプログラムやデータはこのコンピュータのハードディスク２８に保存されており、これを適宜このコンピュータのＲＡＭ２２にロードし、このコンピュータのＣＰＵ２１がこれを用いて処理を行うことで、このコンピュータ、即ちコンテンツ管理サーバ１００は、ステップＳ６２１〜Ｓ６２８の各処理を実行することになる。
【００６９】
また、本フローチャートに従った処理が開始される前段で、既にパソコンＢ１３５に接続されているＣＤ／ＤＶＤドライブ装置１２０には図３のフローチャートに従った処理により作成された記録媒体（依頼者によって依頼されたコンテンツ、アクセス情報が記録された記録媒体）が挿入されている。
【００７０】
先ず、このＣＤ／ＤＶＤドライブ装置１２０の動作を制御するためのプログラム（コンテンツの再生プログラムを含む）をハードディスク２８からＲＡＭ２２にロードする（ステップＳ６０１）。
【００７１】
そしてこのプログラムを実行してＣＤ／ＤＶＤドライブ装置１２０を動作させるのであるが、先ず、記録媒体に付加されているＩＣタグを参照し、ＩＣタグにデータが記録されていない場合には、処理をステップＳ６０２からステップＳ６０３に進め、通常通り、記録媒体に記録されているコンテンツ（本実施形態では音楽）を再生する（ステップＳ６０３）。
【００７２】
一方、ＩＣタグに再生条件とアクセス情報が記録されている場合には処理をステップＳ６０２からステップＳ６０４に進め、再生条件を満足している場合は、処理をステップＳ６０５に進め、再生条件を満足していない場合は、処理をステップＳ６１０に進める（ステップＳ６０４）。
【００７３】
ステップＳ６０５では、ＩＣタグに記憶されたアクセス情報によって特定されるアクセス先、即ちコンテンツ管理サーバ１００にデータ送信要求を送信し、処理をステップＳ６０６に進める。
【００７４】
コンテンツ管理サーバ１００のＣＰＵ２１はこのデータ送信要求を検知（受信）する（ステップＳ６２１）と、当該パソコンからデータ送信要求が合った旨を管理ＤＢに記憶する（ステップＳ６２２）。次に要求に基いて付加コンテンツをパソコンＢ１３５に送信するのであるが、先ず付加コンテンツに音声データ（メッセージデータを含む）が含まれているのかをチェックし（ステップＳ６２３）、含まれている場合には、処理をステップＳ６２４に進め、この音声データをパソコンＢ１３５に送信する（ステップＳ６２４）。
【００７５】
一方、パソコンＢ１３５側では、アクセス情報に従ったアクセス先にデータ送信要求を送信してから音声データの受信を待ち（ステップＳ６０６）、待ち時間が所定時間経過している場合には処理をステップＳ６０７を介してステップＳ６０９に処理を進める。また、コンテンツ管理サーバ１００がパソコンＢ１３５に対して音声データを送信した場合にはパソコンＢ１３５はこれを受信してＲＡＭ２２に記憶し（ステップＳ６０８）、受信した音声データを再生する（ステップＳ６０９）。
【００７６】
次に、記録媒体に記録されている通常音声（依頼者が購入したコンテンツであり、本実施形態では音楽）の再生を開始する（ステップＳ６１０）。
【００７７】
一方、コンテンツ管理サーバ１００は、パソコンＢ１３５からのアクセス先である付加コンテンツに含まれている画像のデータをパソコンＢ１３５に対して送信するのであるが、現在の日時がこの画像のデータに対する配信期限以内であるのかを図６の画面で登録した画像配信期限を参照してチェックし、配信期限以内であればこの画像をハードディスク２８からＲＡＭ２２にロードし（ステップＳ６２５）、これをパソコンＢ１３５に送信する（ステップＳ６２６）。
【００７８】
パソコンＢ１３５は、再生条件を満たしているかを再度判定し（ステップＳ６１１）、再生条件を満たした場合、この画像データを受信し（ステップＳ６１２）、表示部２５の表示画面上に再生表示する（ステップＳ６１３）。ここで、パソコンＢ１３５の操作者がキーボード２６やマウス２７を用いて画像の配信を停止させる旨の操作を入力し、パソコンＢ１３５のＣＰＵ２１がこれを検知すると、ＣＰＵ２１はその旨の指示をコンテンツ管理サーバ１００に送信する（ステップＳ６１４，６１６）ので、コンテンツ管理サーバ１００は画像の配信を停止する（ステップＳ６２８）。
【００７９】
そして、付加コンテンツに含まれている音声データの再生が完了したのかをチェックし（ステップＳ６１５）、未だ完了していない場合には処理をステップＳ６１１に戻し、次の画像の受信を行う。これにより、付加コンテンツに含まれている音声を再生し、通常音声を再生しながら付加コンテンツに含まれている画像を受信して切り替えて表示することができる。
【００８０】
以上の説明により、本実施形態によって、記録媒体に記録されたコンテンツに加え、依頼者の意図する付加コンテンツをも再生することができる。また、従来では一度作成した記録媒体を何度再生しても同じ再生結果となるが、本実施形態によれば、付加コンテンツは適宜コンテンツ管理サーバ１００にアップすることで変更可能であるので、適宜再生結果を異ならせることができる。
【００８１】
本発明の記憶媒体を情報処理装置に装着して再生することにより、様々な付加価値サービスの提供が可能になる。例えば、本体の画像や音声の再生に先立ってメッセージ音声を再生したり、ＣＤの場合音声の再生時にスライドショー形式で画像を表示するといった付加価値サービスの提供が可能となる。又例えば、ある日時、若しくはある期間のみあるいはある条件を満たす場合に付加コンテンツを再生可能とさせることができる。即ち、初回再生時のみＣＤやＤＶＤを再生したり、結婚記念日にのみ付加コンテンツを再生可能とさせるといったこともできるので、贈り主の押し付けがましさを避けることができる。又例えば誕生日に贈ったＣＤを何年か後の誕生日に再生したときに贈り主のメッセージや画像が再生されるので、ＣＤをプレゼントされた側が驚くと共に非常に喜ばれるといった効果も期待できる。
【００８２】
なお、以上の説明の本質は、図１に示した機器の数に限定するものではないし、システムの構成もこれに限定するものではない。
【００８３】
また本実施形態に適用可能な記憶媒体は特に限定するものではないが、適用する記録媒体にはＩＣタグが付加されていることは必須である。また当然、記録媒体に情報を記録するドライブ装置にはこの記録媒体に付加されているＩＣタグに対しても情報の記録を行う機能が備わっていることが必須であるし、記録媒体に記録された情報を読み出すドライブ装置にはこの記録媒体に付加されているＩＣタグに記録されている情報を読み出す機能が備わっていることが必須である。
【００８４】
また、再生条件（再生可能な日時、期間）を設定する対象は上記に限定するものではなく、付加コンテンツとしての画像、音声の何れにどのような再生条件を設定しても良いし、しなくても良い。また、再生条件は上記に限定するものではない。
【００８５】
［第２の実施形態］
次に、依頼者によって依頼されたコンテンツ、アクセス情報が記録された記録媒体を再生する場合に、パソコンＢ１３５とコンテンツ管理サーバ１００とが行う処理について、同処理のフローチャートを示す図８を用いて説明する。本実施形態では、ＩＣタグには不可コンテンツを得るためのアクセス情報（例えばコンテンツ管理サーバ１００のＵＲＬ）が記憶されており、付加コンテンツの再生条件はコンテンツ管理サーバ１００に記憶されている点が、上記第１の実施形態と異なる。
【００８６】
なお、同図のフローチャートにおいて、パソコンＢ１３５が行う処理部分（ステップＳ５０１〜Ｓ５１５）をパソコンＢ１３５に適用するコンピュータのＣＰＵ２１に実行させる為のプログラムやデータはこのコンピュータのハードディスク２８に保存されており、これを適宜このコンピュータのＲＡＭ２２にロードし、このコンピュータのＣＰＵ２１がこれを用いて処理を行うことで、このコンピュータ、即ちパソコンＢ１３５は、ステップＳ５０１〜Ｓ５１５の各処理を実行することになる。
【００８７】
同様に、同図のフローチャートにおいて、コンテンツ管理サーバ１００が行う処理部分（ステップＳ５２１〜Ｓ５２８）をコンテンツ管理サーバ１００に適用するコンピュータのＣＰＵ２１に実行させる為のプログラムやデータはこのコンピュータのハードディスク２８に保存されており、これを適宜このコンピュータのＲＡＭ２２にロードし、このコンピュータのＣＰＵ２１がこれを用いて処理を行うことで、このコンピュータ、即ちコンテンツ管理サーバ１００は、ステップＳ５２１〜Ｓ５２８の各処理を実行することになる。
【００８８】
また、本フローチャートに従った処理が開始される前段で、既にパソコンＢ１３５に接続されているＣＤ／ＤＶＤドライブ装置１２０には図３のフローチャートに従った処理により作成された記録媒体（依頼者によって依頼されたコンテンツ、アクセス情報が記録された記録媒体）が挿入されている。
【００８９】
先ず、このＣＤ／ＤＶＤドライブ装置１２０の動作を制御するためのプログラム（コンテンツの再生プログラムを含む）をハードディスク２８からＲＡＭ２２にロードする（ステップＳ５０１）。
【００９０】
そしてこのプログラムを実行してＣＤ／ＤＶＤドライブ装置１２０を動作させるのであるが、先ず、記録媒体に付加されているＩＣタグを参照し、ＩＣタグにデータが記録されていない場合には、処理をステップＳ５０２からステップＳ５０３に進め、通常通り、記録媒体に記録されているコンテンツ（本実施形態では音楽）を再生する（ステップＳ５０３）。
【００９１】
一方、ＩＣタグにアクセス情報が記録されている場合には処理をステップＳ５０３からステップＳ５０４に進め、アクセス情報によって特定されるアクセス先、即ちコンテンツ管理サーバ１００にアクセスする（ステップＳ５０４）。
【００９２】
コンテンツ管理サーバ１００のＣＰＵ２１はこのアクセスを検知（受信）する（ステップＳ５２１）と、付加コンテンツをパソコンＢ１３５に送信するのであるが、先ず付加コンテンツに音声データ（メッセージデータを含む）が含まれているのかをチェックし（ステップＳ５２３）、含まれている場合には次に、図６の画面で登録したメッセージ再生条件を示す情報を参照し、例えば現在の日時がこのメッセージ再生条件が示す日時と同じ、若しくはその期間内であるのかといった、再生条件を満たすか否かを判断し（ステップＳ５２３）、満たす場合には処理をステップＳ５２４に進め、この音声データをパソコンＢ１３５に送信する（ステップＳ５２４）。
【００９３】
一方、パソコンＢ１３５側では、アクセス情報に従ったアクセス先にアクセスを開始してから音声データの受信を待ち（ステップＳ５０５）、待ち時間が所定時間経過している場合には処理をステップＳ５０６を介してステップＳ５０８に処理を進める。また、コンテンツ管理サーバ１００がパソコンＢ１３５に対して音声データを送信した場合にはパソコンＢ１３５はこれをＲＡＭ２２に受信し（ステップＳ５０７）、受信した音声データを再生する（ステップＳ５０９）。
【００９４】
次に、記録媒体に記録されているコンテンツ（依頼者が購入したコンテンツであり、本実施形態では音楽）を再生する（ステップＳ５１０）。
【００９５】
一方、コンテンツ管理サーバ１００は、パソコンＢ１３５からのアクセス先である付加コンテンツに含まれている画像のデータをパソコンＢ１３５に対して送信するのであるが、現在の日時がこの画像のデータに対する配信期限以内であるのかを図６の画面で登録した画像配信期限を参照してチェックし、配信期限以内であればこの画像をハードディスク２８からＲＡＭ２２にロードし（ステップＳ５２５）、これをパソコンＢ１３５に送信する（ステップＳ５２６）。
【００９６】
パソコンＢ１３５はこの画像データを受信し（ステップＳ５１１）、表示部２５の表示画面上に再生表示する（ステップＳ５１２）。ここで、パソコンＢ１３５の操作者がキーボード２６やマウス２７を用いて画像の配信を停止させる旨の操作を入力し、パソコンＢ１３５のＣＰＵ２１がこれを検知すると、ＣＰＵ２１はその旨の指示をコンテンツ管理サーバ１００に送信する（ステップＳ５１３，Ｓ５１５）ので、コンテンツ管理サーバ１００は画像の配信を停止する（ステップＳ５２８）。
【００９７】
そして、付加コンテンツに含まれている音声データの再生が完了したのかをチェックし（ステップＳ５１４）、未だ完了していない場合には処理をステップＳ５１１に戻し、次の画像の受信を行う。これにより、付加コンテンツに含まれている音声を再生しながら、付加コンテンツに含まれているそれぞれの画像を定期的に受信して切り替えて表示することができる。
【００９８】
以上の説明により、本実施形態によって、記録媒体に記録されたコンテンツに加え、依頼者の意図する付加コンテンツをも再生することができる。また、従来では一度作成した記録媒体を何度再生しても同じ再生結果となるが、本実施形態によれば、付加コンテンツは適宜コンテンツ管理サーバ１００にアップすることで変更可能であるので、適宜再生結果を異ならせることができる。
【００９９】
また、本実施形態によれば、上記第１の実施形態と同様の効果を奏することができる。
【０１００】
なお、以上の説明の本質は、図１に示した機器の数に限定するものではないし、システムの構成もこれに限定するものではない。
【０１０１】
また本実施形態に適用可能な記憶媒体は特に限定するものではないが、適用する記録媒体にはＩＣタグが付加されていることは必須である。また当然、記録媒体に情報を記録するドライブ装置にはこの記録媒体に付加されているＩＣタグに対しても情報の記録を行う機能が備わっていることが必須であるし、記録媒体に記録された情報を読み出すドライブ装置にはこの記録媒体に付加されているＩＣタグに記録されている情報を読み出す機能が備わっていることが必須である。
【０１０２】
また、再生条件（再生可能な日時、期間）を設定する対象は上記に限定するものではなく、付加コンテンツとしての画像、音声の何れにどのような再生条件を設定しても良いし、しなくても良い。また、再生条件は上記に限定するものではない。
【０１０３】
［第３の実施形態］
次に、依頼者によって依頼されたコンテンツ、アクセス情報が記録された記録媒体を再生する場合に、パソコンＢ１３５とコンテンツ管理サーバ１００とが行う処理について、同処理のフローチャートを示す図９を用いて説明する。本実施形態では、再生条件のみならず付加された音声データ自体をＩＣタグに記憶している点が第１及び第２の実施形態との相違点である。
【０１０４】
なお、同図のフローチャートにおいて、パソコンＢ１３５が行う処理部分（ステップＳ９０１〜Ｓ９１６）をパソコンＢ１３５に適用するコンピュータのＣＰＵ２１に実行させる為のプログラムやデータはこのコンピュータのハードディスク２８に保存されており、これを適宜このコンピュータのＲＡＭ２２にロードし、このコンピュータのＣＰＵ２１がこれを用いて処理を行うことで、このコンピュータ、即ちパソコンＢ１３５は、ステップＳ９０１〜Ｓ９１６の各処理を実行することになる。
【０１０５】
同様に、同図のフローチャートにおいて、コンテンツ管理サーバ１００が行う処理部分（ステップＳ９２１〜Ｓ９２８）をコンテンツ管理サーバ１００に適用するコンピュータのＣＰＵ２１に実行させる為のプログラムやデータはこのコンピュータのハードディスク２８に保存されており、これを適宜このコンピュータのＲＡＭ２２にロードし、このコンピュータのＣＰＵ２１がこれを用いて処理を行うことで、このコンピュータ、即ちコンテンツ管理サーバ１００は、ステップＳ９２１〜Ｓ９２８の各処理を実行することになる。
【０１０６】
本実施形態では、再生条件のみならず付加された音声データ自体をＩＣタグに記憶しているため、図９のフローチャートでは、図４のステップＳ５０６乃至Ｓ５０８に相当するステップＳ９０６乃至Ｓ９０８が存在しない、同様に図４のステップＳ５２３乃至Ｓ５２４に相当するステップＳ９２３乃至Ｓ９２４が存在しない。従って、パソコンＢ１３５では、ステップＳ９０５の実行後ステップＳ９０９に処理が進む。又、コンテンツ管理サーバではステップＳ９２２の実行後ステップＳ９２５に処理が進む。以上の点を除いて、ステップＳ９０１〜Ｓ９０４の処理は図４のステップＳ５０１〜Ｓ５０４の処理と同様であり、ステップＳ９０９〜Ｓ９１６の処理は図４のステップＳ５０９〜Ｓ５１６の処理と同様であり、ステップＳ９２１〜Ｓ９２２の処理は図４のステップＳ５２１〜Ｓ５２２の処理と同様であり、ステップＳ９２５〜Ｓ９２８の処理は図４のステップＳ５２５〜Ｓ５２８の処理と同様なので説明は省略する。
【０１０７】
また、本実施形態によっても、上記第１の実施形態と同様の効果を奏することができる。
【０１０８】
［第４の実施形態］
コンテンツ管理サーバ１００が作成したコンテンツ、及びアクセス情報が記録された記録媒体を、記録媒体に記録されている情報を読み出すドライブ装置に挿入して、この記録媒体に記録されているコンテンツ、アクセス情報を読み出し、携帯電話などの携帯端末装置に転送するようにしても良い。
【０１０９】
その場合、この携帯端末装置は、このコンテンツのデータを再生すると共に、アクセス情報が示すアクセス先からダウンロードした付加コンテンツを再生する。携帯端末装置の場合、画面サイズがパソコンＢ１３５と比べると極端に小さいので、付加コンテンツに画像が含まれている場合には、この画像を携帯端末装置の画面サイズに合わせて縮小する必要がある。縮小するための方法については様々なものが考えられるが、パソコンＢ１３５から携帯端末装置に画像を転送する際に縮小しても良いし、コンテンツ管理サーバ１００に付加コンテンツとしての画像をアップする際に、この携帯端末装置を特定する情報もアップしておき、コンテンツ管理サーバ１００側でこの情報に基づいて画像を縮小するようにしても良い。
【０１１０】
又、ＣＤ／ＤＶＤドライブ装置にはＩＣタグリーダ又はＩＣタグリーダライタが内蔵されている構成としたが、ＣＤ／ＤＶＤ内蔵のＩＣタグに対する読み書きが可能であれば、パソコン本体にＩＣタグリーダ又はＩＣタグリーダライタが内蔵しても良いし、又はパソコンに外付けでＩＣタグリーダ又はＩＣタグリーダライタを接続しても良い。
【０１１１】
［その他の実施形態］
また、本発明の目的は、前述した実施形態の機能を実現するソフトウェアのプログラムコードを記録した記録媒体（または記憶媒体）を、システムあるいは装置に供給し、そのシステムあるいは装置のコンピュータ（またはＣＰＵやＭＰＵ）が記録媒体に格納されたプログラムコードを読み出し実行することによっても、達成されることは言うまでもない。この場合、記録媒体から読み出されたプログラムコード自体が前述した実施形態の機能を実現することになり、そのプログラムコードを記録した記録媒体は本発明を構成することになる。
【０１１２】
また、コンピュータが読み出したプログラムコードを実行することにより、前述した実施形態の機能が実現されるだけでなく、そのプログラムコードの指示に基づき、コンピュータ上で稼働しているオペレーティングシステム（ＯＳ）などが実際の処理の一部または全部を行い、その処理によって前述した実施形態の機能が実現される場合も含まれることは言うまでもない。
【０１１３】
さらに、記録媒体から読み出されたプログラムコードが、コンピュータに挿入された機能拡張カードやコンピュータに接続された機能拡張ユニットに備わるメモリに書込まれた後、そのプログラムコードの指示に基づき、その機能拡張カードや機能拡張ユニットに備わるＣＰＵなどが実際の処理の一部または全部を行い、その処理によって前述した実施形態の機能が実現される場合も含まれることは言うまでもない。
【０１１４】
本発明を上記記録媒体に適用する場合、その記録媒体には、先に説明したフローチャートに対応するプログラムコードが格納されることになる。
【図面の簡単な説明】
【０１１５】
【図１】本発明の第１の実施形態に係るシステムの機能構成を示すブロック図である。
【図２】上記コンテンツ管理サーバ１００、パソコンＡ１３０、パソコンＢ１３５に適用可能なコンピュータの基本構成を示すブロック図である。
【図３】依頼者が所望のコンテンツを記録した記録媒体の作成をコンテンツ管理サーバ１００に対して依頼する為に、パソコンＡ１３０、コンテンツ管理サーバ１００が行う処理のフローチャートである。
【図４】依頼者によって依頼されたコンテンツのアクセス情報及び再生条件が記録された記録媒体を再生する場合に、パソコンＢ１３５とコンテンツ管理サーバ１００とが行う処理のフローチャートである。
【図５】ＩＣタグが付加されたＣＤ−ＲＯＭの外観例を示す図で、同図において５００はＣＤ−ＲＯＭ本体、５０１はＩＣタグのアンテナ部分、５０２，５０３はそれぞれＩＣタグを示す。
【図６】ステップＳ４０２で表示部２５の表示画面上に表示される登録画面の表示例を示す図である。
【図７】管理ＤＢ１０１に管理されているある依頼者に対する情報の構成例を示す図である。
【図８】依頼者によって依頼されたコンテンツのアクセス情報が記録された記録媒体を再生する場合に、パソコンＢ１３５とコンテンツ管理サーバ１００とが行う処理のフローチャートである。
【図９】依頼者によって依頼されたコンテンツのアクセス情報及び再生条件及び音声データが記録された記録媒体を再生する場合に、パソコンＢ１３５とコンテンツ管理サーバ１００とが行う処理のフローチャートである。
【図１】
2006351099.tif 000003
【図２】
2006351099.tif 000004
【図３】
2006351099.tif 000005
【図４】
2006351099.tif 000006
【図５】
2006351099.tif 000007
【図６】
2006351099.tif 000008
【図７】
2006351099.tif 000009
【図８】
2006351099.tif 000010
【図９】
2006351099.tif 000011